(57)【要約】【課題】ユーザの好みの時間にエアフィルタの自動清掃と室内熱交換器の自動洗浄の一方を行うか、あるいは、両者を略同時に行うことでメンテナンスを極力低減して室内機をクリーンな状態に維持することができる空気調和機を提供すること。【解決手段】清掃／洗浄時刻設定手段により設定した設定時間に応じて、暖房運転を行って室内熱交換器を乾燥させることにより室内熱交換器を自動洗浄するようにした。また、室内熱交換器の自動洗浄の前にフィルタ清掃装置を作動させるようにした。【選択図】図１４
2009058143.tif 000002
【特許請求の範囲】
【請求項１】
室外機と室内機とを備え、前記室外機に設けられた圧縮機と四方弁と室外熱交換器と膨張弁と、前記室内機に設けられた室内熱交換器とを順次接続して冷凍サイクルを構成した空気調和機であって、
清掃／洗浄時刻設定手段により設定した設定時間に応じて、暖房運転を行って前記室内熱交換器を乾燥させることにより前記室内熱交換器を自動洗浄するようにしたことを特徴とする空気調和機。
【請求項２】
前記暖房運転の前に除湿運転あるいは送風運転の組合わせ運転を行うようにしたことを特徴とする請求項１に記載の空気調和機。
【請求項３】
空気調和機の冷房運転中、あるいは、空気調和機の停止前に冷房あるいは除湿運転を行った場合に、前記室内熱交換器の自動洗浄を行うようにしたことを特徴とする請求項１あるいは２に記載の空気調和機。
【請求項４】
前記室内機が、前記室内熱交換器を通過する空気に含まれる塵埃を除去するフィルタ清掃装置を有し、前記室内熱交換器の自動洗浄の前に前記フィルタ清掃装置を作動させるようにしたことを特徴とする請求項１乃至３のいずれか１項に記載の空気調和機。
【請求項５】
空気調和機の暖房運転中、あるいは、空気調和機の停止前に暖房運転を行った場合に、前記フィルタ清掃装置の作動前に予め冷房運転を行うことを特徴とする請求項４に記載の空気調和機。
【請求項６】
前記室内熱交換器の自動洗浄が終了すると、自動洗浄開始前の状態に空気調和機を復帰させるようにしたことを特徴とする請求項３あるいは５に記載の空気調和機。
【請求項７】
曜日を検出する曜日検出手段と、清掃／洗浄時刻ウィークリ−プログラミング手段を設け、各曜日毎に前記清掃／洗浄時刻設定手段により清掃／洗浄清掃時刻を設定できるようにしたことを特徴とする請求項１乃至６のいずれか１項に記載の空気調和機。
【請求項８】
空気調和機の電源投入を検出する電源投入検出手段を設け、電源投入時に前記フィルタ清掃装置を作動させることを特徴とする請求項１乃至７のいずれか１項に記載の空気調和機。
【請求項９】
空調運転中であるか否かを判定する空調運転中判定手段を設け、前記清掃／洗浄時刻設定手段で設定された時刻に空調運転中の場合には、前記フィルタ清掃装置を作動させないことを特徴とする請求項４に記載の空気調和機。
【請求項１０】
空調運転終了を検出する空調運転終了検出手段を設け、前記清掃／洗浄時刻設定手段で設定された時刻に空調運転中で前記フィルタ清掃装置が動作しなかった場合には、運転終了時に前記フィルタ清掃装置を作動させることを特徴とする請求項９に記載の空気調和機。
【請求項１１】
前記清掃／洗浄時刻設定手段で設定された時刻に空調運転中の場合に、前記フィルタ清掃装置が動作しなかった回数をカウントするフィルタ清掃装置不動作カウンタを設け、該フィルタ清掃装置不動作カウンタのカウント値が所定の値に達したときに前記フィルタ清掃装置を作動させることを特徴とする請求項９に記載の空気調和機。
【請求項１２】
フィルタ清掃スイッチを設け、該フィルタ清掃スイッチがオンされた場合には、前記フィルタ清掃装置を作動させることを特徴とする請求項４に記載の空気調和機。
【発明の詳細な説明】
【技術分野】
【０００１】
本発明は、室内機の空気吸込口に設けられたエアフィルタを自動的に清掃するフィルタ清掃機能と、室内機に内蔵された熱交換器を自動洗浄してカビや細菌の繁殖を抑制する機能とを備えた空気調和機に関する。
【背景技術】
【０００２】
従来の空気調和機の室内機においては、本体内部への塵埃の侵入を防止するためのエアフィルタが熱交換器の前面に設けられており、エアフィルタは付着した塵埃を除去できるようにフィルタ枠に着脱自在に取り付けられている。このような構成のフィルタ装置は頻繁なメンテナンスが必要となるだけでなく、メンテナンスが行われるまでの間にはエアフィルタが徐々に目詰まりしていき、その結果、熱交換器を通過する風量が低下して空調能力が低下して消費電力の増大につながることとなる。
【０００３】
このため、エアフィルタのメンテナンスの手間を低減する目的で、エアフィルタに付着した塵埃をブラシにて定期的に清掃する自動清掃機能付き空気調和機が提案されている（例えば、特許文献１参照。）。
【０００４】
また、フィルタ上を自在に移動可能な塵埃吸引部からフィルタ上の塵埃を吸引ファンにより吸引し、吸引ダクトを介して塵埃収納部に塵埃を収納して、フィルタの塵埃を自動的に清掃するという自動清掃機能付き空気調和機も提案されている（例えば、特許文献２参照。）。
【０００５】
さらに、室内機内部の熱交換器やその近傍にカビや細菌が繁殖するのを抑制するために、冷房運転あるいは除湿運転後に運転時間に応じて送風運転、サイクル除湿、暖房運転を組み合わせて乾燥運転することにより、乾燥時間の短縮、効率向上による省エネ化、快適性の向上を図るようにした空気調和機も提案されている（例えば、特許文献３参照。）。
【０００６】
【特許文献１】特開平６−７４５２１号公報
【特許文献２】特開２００２−３４０３９５号公報
【特許文献３】特開２００１−４１５４２号公報
【発明の開示】
【発明が解決しようとする課題】
【０００７】
しかしながら、特許文献１に記載の空気調和機にあっては、ブラシとエアフィルタが互いに摺接することからブラシに塵埃が絡みついたり、ブラシが摩耗もしくは変形して機能低下するなどの問題があった。また、ある程度の時間が経過するとブラシで掻き落として集めた塵埃を処理しなくてはならず、メンテナンスの手間が大幅に軽減されるものではなかった。
【０００８】
一方、特許文献２に記載の空気調和機においては、エアフィルタに付着する塵埃の量は空気調和機の使用時間や環境により変化し、塵埃の量が多かったり塵埃を長期間除去しないと塵埃が固着して吸引しにくくなり、エアフィルタ上に塵埃が残存することがあった。
【０００９】
そこで、本願出願人は、ユーザの使い勝手を向上させるとともに、エアフィルタに付着した塵埃を確実かつ効率的に除去することによりエアフィルタの清掃性能が低下することがなく、無駄な電力を消費することがない空気調和機について種々提案している。
【００１０】
しかしながら、塵埃はエアフィルタのみならず室内熱交換器にも付着し、室内熱交換器の場合、高温多湿になるとカビや細菌の繁殖の問題もあり、エアフィルタの自動清掃に加えて室内熱交換器の自動洗浄を行うのが好ましいが、特許文献３を含めて従来の空気調和機は、エアフィルタの自動清掃と室内熱交換器の自動洗浄を任意に行うように構成されたものではない。
【００１１】
本発明は、従来技術の有するこのような問題点に鑑みてなされたものであり、ユーザの好みの時間にエアフィルタの自動清掃と室内熱交換器の自動洗浄の一方を行うか、あるいは、両者を略同時に行うことでメンテナンスを極力低減して室内機をクリーンな状態に維持することができる空気調和機を提供することを目的としている。
【課題を解決するための手段】
【００１２】
上記目的を達成するために、本発明のうちで請求項１に記載の発明は、室外機と室内機とを備え、前記室外機に設けられた圧縮機と四方弁と室外熱交換器と膨張弁と、前記室内機に設けられた室内熱交換器とを順次接続して冷凍サイクルを構成した空気調和機であって、清掃／洗浄時刻設定手段により設定した設定時間に応じて、暖房運転を行って前記室内熱交換器を乾燥させることにより前記室内熱交換器を自動洗浄するようにしたことを特徴とする。
【００１３】
また、請求項２に記載の発明は、前記暖房運転の前に除湿運転あるいは送風運転の組合わせ運転を行うようにしたことを特徴とする。
【００１４】
さらに、請求項３に記載の発明は、空気調和機の冷房運転中、あるいは、空気調和機の停止前に冷房あるいは除湿運転を行った場合に、前記室内熱交換器の自動洗浄を行うようにしたことを特徴とする。
【００１５】
また、請求項４に記載の発明は、前記室内機が、前記室内熱交換器を通過する空気に含まれる塵埃を除去するフィルタ清掃装置を有し、前記室内熱交換器の自動洗浄の前に前記フィルタ清掃装置を作動させるようにしたことを特徴とする。
【００１６】
また、請求項５に記載の発明は、空気調和機の暖房運転中、あるいは、空気調和機の停止前に暖房運転を行った場合に、前記フィルタ清掃装置の作動前に予め冷房運転を行うことを特徴とする。
【００１７】
また、請求項６に記載の発明は、前記室内熱交換器の自動洗浄が終了すると、自動洗浄開始前の状態に空気調和機を復帰させるようにしたことを特徴とする。
【００１８】
また、請求項７に記載の発明は、曜日を検出する曜日検出手段と、清掃／洗浄時刻ウィークリ−プログラミング手段を設け、各曜日毎に前記清掃／洗浄時刻設定手段により清掃／洗浄清掃時刻を設定できるようにしたことを特徴とする。
【００１９】
また、請求項８に記載の発明は、空気調和機の電源投入を検出する電源投入検出手段を設け、電源投入時に前記フィルタ清掃装置を作動させることを特徴とする。
【００２０】
また、請求項９に記載の発明は、空調運転中であるか否かを判定する空調運転中判定手段を設け、前記清掃／洗浄時刻設定手段で設定された時刻に空調運転中の場合には、前記フィルタ清掃装置を作動させないことを特徴とする。
【００２１】
また、請求項１０に記載の発明は、空調運転終了を検出する空調運転終了検出手段を設け、前記清掃／洗浄時刻設定手段で設定された時刻に空調運転中で前記フィルタ清掃装置が動作しなかった場合には、運転終了時に前記フィルタ清掃装置を作動させることを特徴とする。
【００２２】
また、請求項１１に記載の発明は、前記清掃／洗浄時刻設定手段で設定された時刻に空調運転中の場合に、前記フィルタ清掃装置が動作しなかった回数をカウントするフィルタ清掃装置不動作カウンタを設け、該フィルタ清掃装置不動作カウンタのカウント値が所定の値に達したときに前記フィルタ清掃装置を作動させることを特徴とする。
【００２３】
また、請求項１２に記載の発明は、フィルタ清掃スイッチを設け、該フィルタ清掃スイッチがオンされた場合には、前記フィルタ清掃装置を作動させることを特徴とする。
【発明の効果】
【００２４】
本発明によれば、設定された時間に応じて、暖房運転を行って室内熱交換器を乾燥させることにより室内熱交換器を自動洗浄したり、室内熱交換器の自動洗浄の前にフィルタ清掃装置を作動させるようにしたので、ユーザの好みの時間にフィルタの自動清掃及び／又は室内熱交換器の自動洗浄を行うことができ、メンテナンスを極力低減して室内機をクリーンな状態に維持することができる。
【発明を実施するための最良の形態】
【００２５】
以下、本発明の実施の形態について、図面を参照しながら説明する。
本発明に係る空気調和機は、使用時間の経過とともに室内機に設けられた熱交換器あるいはフィルタに塵埃が蓄積することから、タイマー設定時間に応じて室内熱交換器の自動洗浄あるいはフィルタの自動清掃を行うようにしている。
【００２６】
そこで、室内熱交換器の自動洗浄についてまず説明する。
図１は、本発明に係る空気調和機の冷凍サイクルを示しており、室外機２に設けられた圧縮機６、四方弁８、室外熱交換器１０、膨張弁１２と、室内機４に設けられた室内熱交換器１４を順次冷媒配管で接続してヒートポンプ式の冷凍サイクルを構成している。
【００２７】
また、室内送風機１６は室内熱交換器１４に室内空気を送風し、室外送風機１８は室外熱交換器１０に室外空気を送風し、室温センサ２０は室温を検出し、室内熱交換器１４の配管温度センサ２２は室内熱交換器１４の配管温度を検出し、制御装置２４は冷凍サイクルの制御を行うものである。
【００２８】
ここで、室内熱交換器１４の自動洗浄は乾燥運転ということもでき、空気調和機の冷房運転あるいは除湿運転によって結露等が生じた室内熱交換器１４より水分を取り除いて乾燥させるとともに温度を上げてカビ菌の活動を抑制するために暖房運転を行うものであり、乾燥運転時に四方弁８を切り換えることによって行われる。すなわち、一旦、圧縮機６を停止した後、四方弁８を切り替えて暖房運転を行い、室内熱交換器１４の温度を上昇させ、冷房運転あるいは除湿運転時に室内熱交換器１４に付着した水分を蒸発させる。
【００２９】
図２は、制御装置２４のブロック図の１例を示しており、乾燥運転中における室内機４からの湯気の発生を抑制するとともに、乾燥時間を短縮するためのものである。図２のブロック図において、配管温度設定手段２８は、室温センサ２０の出力が入力される室内温度検出手段２６の出力値Ｔｉｎに応じて室内熱交換器１４の配管温度Ｔａを設定する。ここで、配管温度Ｔａは、出力値Ｔｉｎが高くなるにつれて高くなる関数式Ｔａ＝Ｆａ（Ｔｉｎ）から算出され、Ｔａ≧Ｔｉｎである。
【００３０】
乾燥運転周波数制御手段３２は、配管温度設定手段２８の出力値Ｔａと、配管温度センサ２２の出力が入力される配管温度検出手段３０の出力値Ｔｔを比較し、Ｔａ−ΔＴ＞Ｔｔであれば現状よりも高い値に圧縮機６の運転周波数を変更する一方、Ｔａ＋ΔＴ＜Ｔｔであれば現状よりも低い値に圧縮機６の運転周波数を変更し、Ｔａ＋ΔＴ≧Ｔｔ≧Ｔａ−ΔＴ（ΔＴ≧０）の場合は現状の運転周波数を維持する。
【００３１】
上述したように、加熱乾燥運転中の配管温度設定手段２８と乾燥運転周波数制御手段３２によって、湯気の発生しない領域での最適な高能力制御を行うことができるとともに、乾燥時間を短縮し、省エネ性の向上、快適性の向上が得られる。
【００３２】
次に、フィルタ自動清掃装置について図３乃至図１３を参照しながら説明する。
【００３３】
図３は、室内熱交換器１４を通過する空気に含まれる塵埃を除去するフィルタ清掃装置３４が組み込まれた室内機４を示しており、室内機４は、本体３６と、本体３６の前面開口部３６ａを開閉自在の可動前面パネル３８を有しており、空気調和機停止時は、前面パネル３８は本体３６に密着して前面開口部３６ａを閉じているのに対し、空気調和機運転時は、前面パネル３８は本体３６から離反する方向に移動して前面開口部３６ａを開放する。
【００３４】
図３に示されるように、本体３６の内部には、室内熱交換器１４と、前面開口部３６ａ及び上面開口部３６ｂから取り入れられた室内空気を室内熱交換器１４で熱交換して室内に吹き出すための室内送風機１６と、熱交換した空気を室内に吹き出す吹出口４２を開閉するとともに空気の吹き出し方向を上下に変更する上下羽根４４と、空気の吹き出し方向を左右に変更する左右羽根（図示せず）とを備えており、前面開口部３６ａの下方の本体３６には、前面開口部３６ａの吹出口４２側で開閉する中羽根４６が中羽根駆動機構４８を介して揺動自在に取り付けられている。
【００３５】
さらに、前面パネル３８上部は、その両端部に設けられた２本のアーム５０，５２を介して本体３６上部に連結されており、アーム５０に連結された駆動モータ（図示せず）を駆動制御することで、空気調和機運転時、前面パネル３８は空気調和機停止時の位置（前面開口部３６ａの閉塞位置）から前方斜め上方に向かって移動する。また、上下羽根４４は、その両端部に設けられた２本のアーム５４，５６を介して本体３６下部に連結されている。
【００３６】
また、フィルタ清掃装置３４は、図４に示されるように、フィルタ枠５８とフィルタ枠５８を保持するフィルタ網６０とで構成されるフィルタ６２と、フィルタ網６０の表面に沿って摺動自在の吸引ノズル６４とを備えている。また、フィルタ枠５８、フィルタ網６０等は、折り曲げ形状となっており、上部は水平方向、下部は垂直方向に構成される。
【００３７】
吸引ノズル６４はフィルタ枠５８の上下端に設置された一対のガイドレール６６により、フィルタ網６０と極めて狭い間隙を保って円滑に左右に移動することができ、フィルタ網６０上に付着した塵埃は吸引ノズル６４より吸引される。さらに、吸引ノズル６４には吸引ダクト６８の一端が連結され、吸引ダクト６８の他端は吸引装置７０に連結されている。吸引装置７０は、回転数の調整が可能なファンモータを用いて吸引量を可変できるように構成されており、吸引ダクト６８は吸引ノズル６４の移動に差し支えないように折り曲げ可能なダクトで形成されている。さらに、吸引装置７０には排気ダクト７２が連結され、室外へ引き回される。フィルタ網６０に付着し、吸引ノズル６４により吸引された塵埃は吸引ダクト６８、吸引装置７０、排気ダクト７２を経由して室外へ排出される。
【００３８】
図５は吸引ノズル６４を斜め上方から見た図であり、図５に示されるように、吸引ノズル６４は、吸引した風の通路を形成するノズル本体７８と、ノズル本体７８を囲むように設けられた所定幅（例えば、約２０ｍｍ）のベルト８０から構成される。ノズル本体７８のフィルタ網６０側の面には、フィルタ網６０の縦長さに相当する長さ（例えば、約３２０ｍｍ）で、所定幅（例えば、約３ｍｍ）のスリット状のノズル開口部７８ａが形成されている。
【００３９】
一方、ベルト８０はループ状に形成され、ノズル開口部７８ａを覆うようにノズル本体７８の外周に巻き付けられている。ベルト８０にはフィルタ網６０の縦長さの１／４（例えば、約８０ｍｍ）の長さで所定幅（例えば、約２ｍｍ）の吸引孔８０ａが設けてあり、吸引孔８０ａの位置はノズル開口部７８ａの真上にくるようにベルト８０は取り付けられている。吸引孔８０ａ側面には、その位置を検知するために指示部８２（図６あるいは図７参照）が設けられている。
【００４０】
ノズル本体７８には、吸引孔センサ８４（図７参照）が指示部８２と接触するように設けられ、常に指示部８２の位置を検知して吸引孔８０ａの位置を検知している。ベルト８０の両端には映画フィルムのように等間隔の駆動穴８６が設けられており、ノズル本体７８上に固定されたステッピング・モータ８８に取り付けられた歯車９０が、駆動穴８６にかみ合うことによりベルト８０は上下方向のいずれにも自由に駆動される。
【００４１】
図６は図５におけるノズル本体７８とベルト８０を別々にして示した図であり、図７は吸引ノズル６４の断面図（図５における線VII−VIIに沿った断面図）である。
【００４２】
上記構成の吸引ノズル６４において、ベルト８０を駆動する別な構成としては、歯車９０に代えてゴムローラ等を使用することもできる。また、装置の小型化を図るためベルト８０はループ状に形成しているが、リールなどを設けてベルトを巻き取らせることもできる。
【００４３】
上記構成の吸引ノズル６４はフィルタ網６０の全面の吸引清掃を行うが、その具体的動作について、図４、図８乃至図１０を用いて説明する。
【００４４】
図８は図４に図示したフィルタ網６０の清掃範囲Ａ，Ｂ，Ｃ，Ｄに応じた吸引孔８０ａの位置を示した図（吸引ノズル６４を背面から見た図）である。なお、実際の吸引ノズル６４は図４に示されるように、フィルタ網６０に沿って折れ曲がった構造をとるが、図８においては見やすくするため吸引ノズル６４を真直に伸ばした状態で図示している。
【００４５】
まず、図４におけるフィルタ網６０のＡの範囲を吸引清掃する場合、ベルト８０を駆動して吸引孔８０ａを図８（ａ）に示されるようにＡの位置に固定する。図９に示されるように、この状態で吸引しながら吸引ノズル６４をフィルタ網６０の右端から左端まで駆動することでフィルタ網６０のＡの水平方向の範囲が吸引清掃できる。
【００４６】
次に、図４におけるフィルタ網６０のＢの範囲の吸引清掃に移行するため、ベルト８０を駆動して吸引孔８０ａを図８（ｂ）に示されるＢの位置に固定する。同様に、この状態で吸引しながら吸引ノズル６４をフィルタ網６０の左端から右端まで駆動することで今度は図４におけるフィルタ網６０のＢの水平方向の範囲が吸引清掃できる。同様にして図４におけるフィルタ網６０のＣ、Ｄの範囲も吸引清掃できる。図４におけるフィルタ網６０のＣ、Ｄの範囲は、水平方向に設けられているので、Ａ，Ｂの範囲より塵埃の付着量が多くなり、より多くの吸引量が必要となる。
【００４７】
図９及び図１０は、この吸引清掃の順序を矢印で示した図であるが、図４におけるフィルタ網６０のＡ，Ｂの範囲は、図９に示されるように水平方向の１列を吸引ノズル６４を１方向にのみ水平移動させて清掃を行い、図４におけるフィルタ網６０のＣ、Ｄの範囲は、図１０に示されるように水平方向の１列を吸引ノズル６４を両方向に水平移動（往復移動）させて清掃を行う。このような横スイープの吸引動作を行うことでフィルタ網６０の全面を略均一に清掃することができる。
【００４８】
なお、図４に示されるように、フィルタ枠５８の両側にはリミットスイッチ７４，７６が設けられており、これらのリミットスイッチ７４，７６に吸引ノズル６４が当接することで、吸引ノズル６４は水平方向に往復移動を行う。
【００４９】
上述したように、吸引孔８０ａの位置は吸引孔センサ８４により検知され、吸引孔８０ａの位置がフィルタ網６０の上部にある場合は、吸引ノズル６４を往復駆動させ、吸引回数を増やすことにより塵埃の残存を極力低減することができる。すなわち、位置検知手段としての吸引孔センサ８４により検知された吸引孔８０ａの位置に応じて吸引ノズル６４の清掃能力を変更することで、フィルタ網６０の全面を略均一に清掃することができる。
【００５０】
また、吸引孔８０ａの位置がフィルタ網６０の上部にある場合は、吸引装置７０の出力を上げ、吸引量を増加することにより塵埃の残存を極力低減することもできる。この場合、吸引ノズル６４は、図９に示されるような動作を行って清掃を行う。
【００５１】
さらに、吸引孔８０ａの位置がフィルタ網６０の上部にある場合は、吸引ノズル６４の水平方向の駆動速度を低下させ、吸引時間を長くすることにより塵埃の残存を極力低減することもできる。
【００５２】
なお、図１１に示されるように、ノズル本体７８にフィルタ網６０表面の塵埃付着量を検知する塵埃センサ９２を設け、塵埃センサ９２により検知された塵埃の付着量が多い部分は、吸引孔センサ８４により検知した吸引孔８０ａを当該部分に位置合わせした後、局所的に吸引装置７０の出力を上げ、吸引量を増加したり、局所的に吸引ノズル６４の水平方向の駆動速度を低下させて吸引時間を長くすることにより塵埃の残存を低減することもできる。すなわち、塵埃検知手段としての塵埃センサ９２により検知された塵埃の付着量に応じて吸引ノズル６４の清掃能力を変更することで、フィルタ網６０の全面を略均一に清掃することができる。
【００５３】
図１２及び図１３は空気調和機のフィルタ清掃装置３４に設けられた吸引装置７０を示しており、この吸引装置７０は後述する構成を有することにより、換気運転のための換気ユニットとしても機能する。なお、換気運転は、シロッコファン９４の回転数を調整することで、換気風量を異ならせて能力の調整を行うことができ、例えば、通常時よりも能力を向上（例えば、約２０％）させて換気を行うことができる。また、通常の換気運転は、開口部９６を通して行う必要はなく、例えば、吸引ノズル６４のノズル開口部７８ａを通じて行うようにしてもよい。
【００５４】
図１２及び図１３に示されるように、吸引装置７０はシロッコファン９４を内蔵し、シロッコファン９４をモータで高速回転させることで吸引力を発揮する。吸引装置７０の吸引側には吸引ダクト６８が連結され、排気側には排気ダクト７２が連結されている。さらに、吸引装置７０の吸引側には開口部９６が形成されており、開口部９６の片側にはステッピング・モータ９８に連結された開閉板１００が揺動自在に取り付けられている。ステッピング・モータ９８により開閉板１００を駆動すると、開口部９６が開閉する。開閉板１００の開口部９６側の表面にはシール材１０２が貼付されており、開口部９６が開閉板１００により閉止されると、開閉板１００は開口部９６の周縁と密着する。
【００５５】
以上のように構成されたフィルタ清掃装置の動作、作用を以下説明する。
吸引装置７０で吸引できる風量は吸引から排気に至る各経路の通風抵抗の合計で決まってくるため、通風抵抗の合計が小さい方が吸引風量が大きくなる。この観点から排気ダクト７２の通風抵抗をより小さくすること、つまり、排気ダクト７２の通風路断面積をより大きくとることが吸引清掃時及び換気運転時の吸引力を高めることにつながる。しかしながら、排気ダクト７２の通風路断面積を大きくしすぎると、吸引清掃後に吸引ノズル６４と吸引ダクト６８の内部に堆積した塵埃が排気ダクト７２内で再び堆積する可能性がある。また、吸引装置７０のケーシングへの塵埃堆積や、シロッコファン９４のブレード（羽根）への塵埃の付着も発生する。
【００５６】
そこで、吸引装置７０に開口部９６及び開閉板１００を設け、開口部９６を開放すると、吸引の風はほとんど全てが開口部９６から吸引されることになる。開口部９６の面積は、吸引ノズル６４のノズル開口部７８ａの開口面積よりかなり大きくできるので（吸引装置７０の方が吸引ノズル６４より大きいため）、吸引孔８０ａから吸引される風の風速は遅く、吸引装置７０の通風抵抗は非常に低いものとなる。さらに、吸引ノズル６４と吸引ダクト６８には風は流れないので、吸引孔通風抵抗と吸引ノズル通風抵抗と吸引ダクト通風抵抗は０である。したがって、通風抵抗の合計は排気ダクト７２の通風抵抗だけに近い値となり、非常に低くできる。
【００５７】
その結果、シロッコファン９４の回転数は吸引清掃時と同じであっても、吸引装置７０と排気ダクト７２を流れる風量を著しく増大させることができる。この時の風量は、通常の家屋において換気を行えるほどの風量にもなるので、室内空気を室外へ排出するすなわち通常時よりも能力を向上させた換気運転を行うことができる。この時、吸引装置７０と排気ダクト７２を流れる風量を著しく増大させることができるため、シロッコファン９４のブレードに付着した塵埃も吹き飛ばすことができ、シロッコファン９４が塵埃で詰まることもない。
【００５８】
開閉板１００を駆動して開口部９６を開いた時は換気ファンとして吸引装置７０を用い、吸引清掃を行う場合は開口部９６を閉じてベルト８０の吸引孔８０ａから塵埃を吸引する吸引ファンとして吸引装置７０を用いることができる。すなわち、同じ吸引装置７０で吸引清掃機能と換気機能を実現できることになる。
【００５９】
ところで、開口部９６の周縁に若干の塵埃が付着して完全に閉まらないようになり吸引漏れを起こし、吸引清掃性能が低下することも考えられるので、開閉板１００の表面には柔軟に変形し、なおかつ永久変形の少ないシール材１０２を貼付して、吸引漏れを防止している。
【００６０】
図１２及び図１３は開口部９６の開状態と閉状態をそれぞれ示しており、図１２における白矢印は吸引される風を表し、図１３における白矢印も同様に吸引される風を表している。
【００６１】
次に、上述したフィルタ清掃装置３４によるフィルタ６２の自動清掃（以下、単にフィルタ清掃という）及び室内熱交換器１４の自動洗浄（以下、単に熱交換器洗浄という）について、図１４のフローチャートを参照しながら説明する。
【００６２】
まずステップＳ１において、ユーザがフィルタ清掃／熱交換器洗浄時刻設定手段（例えば、リモコン（遠隔操作装置））を使用してフィルタ清掃あるいは熱交換器洗浄を行う時刻（開始時刻）を設定する。次のステップＳ２において、設定時刻になったかどうかを判定し、設定時刻になっていれば、ステップＳ３において空気調和機が冷房あるいは除湿運転中かどうかを判定する一方、設定時刻になっていなければステップＳ２に戻る。なお、時刻を計時する計時手段、フィルタ清掃時刻設定手段、フィルタ清掃時刻判定手段等については図１８を参照して後述する。
【００６３】
ステップＳ３において、冷房あるいは除湿運転中と判定されると、ステップＳ４において、フィルタ清掃を行い、さらにフィルタ清掃後に熱交換器洗浄を行う。ここで、フィルタ清掃を熱交換器洗浄の前に行うのは、フィルタ清掃はフィルタ６２が乾燥した状態で行うのが好ましく、フィルタ清掃前に熱交換器洗浄を行うと、室内熱交換器１４に付着した水分が蒸発するときにフィルタ６２に湯気が付着し、フィルタ６２の清掃に支障をきたす虞があるからである。
【００６４】
したがって、フィルタ清掃／熱交換器洗浄時刻設定手段によりフィルタ清掃を行う時刻と熱交換器洗浄を行う時刻とのいずれか一つが設定されればよく、フィルタ清掃時刻が設定された場合には、設定時刻にフィルタ清掃が行われ、その後熱交換器洗浄が行われるのに対し、熱交換器洗浄時刻が設定された場合には、設定時刻より前にフィルタ清掃が行われ、その後熱交換器洗浄が行われる。
【００６５】
ステップＳ３において、冷房あるいは除湿運転中ではないと判定されると、ステップＳ５において、暖房運転中かどうかを判定し、暖房運転中と判定されると、ステップＳ６において、フィルタ清掃のみ行う。熱交換器洗浄は室内熱交換器１４に水分が付着した状態で行うのが好ましく、フィルタ６２で除去できずに室内熱交換器１４に付着した塵埃を水分で洗い流すことができるからである。
【００６６】
ステップＳ４におけるフィルタ清掃及び熱交換器洗浄、あるいは、ステップＳ６におけるフィルタ清掃が完了すると、ステップＳ７に移行し、設定時刻前の状態に復帰させる。すなわち、フィルタ清掃前の運転が冷房あるいは除湿運転であれば冷房あるいは除湿運転を継続するとともに、フィルタ清掃前の運転が暖房運転であれば暖房運転を継続する。
【００６７】
また、ステップＳ５において、暖房運転中でないと判定されると、空気調和機は停止中か冷暖房運転以外の冷凍サイクルが動作しない運転モード（例えば、空清運転、換気運転等）であると判定し、ステップＳ８に移行する。
【００６８】
ステップＳ８においては、停止前あるいは現在の運転モードの前の運転が冷房あるいは除湿運転か暖房運転かを判定し、停止前あるいは現在の運転モードの前の運転が冷房あるいは除湿運転の場合は、ステップＳ９において、フィルタ清掃を行い、さらにフィルタ清掃後に熱交換器洗浄を行う一方、停止前あるいは現在の運転モードの前の運転が暖房運転の場合は、ステップＳ１０において、フィルタ清掃のみ行う。
【００６９】
ステップＳ９におけるフィルタ清掃及び熱交換器洗浄、あるいは、ステップＳ１０におけるフィルタ清掃が完了すると、ステップＳ１１に移行し、フィルタ清掃及び熱交換器洗浄あるいはフィルタ清掃の前の状態（停止あるいは冷暖房運転以外の運転）を継続する。
【００７０】
図１５は熱交換器洗浄を行う場合のタイミングチャートであり、特に冷房あるいは除湿運転を行っている途中で熱交換器洗浄を行う場合を示しており、熱交換器洗浄の前に行うフィルタ清掃は無視している。
【００７１】
図１５に示されるように、熱交換器洗浄を行う場合、時間ｔ１において、圧縮機６及び室外送風機１８が停止して冷房あるいは除湿運転は停止する。また、時間ｔ１までの運転モードやリモコンの設定風量に応じて回転速度が決定されていた室内送風機１６は第１の速度（例えば、約９００ｒｐｍ）に設定され、１回目の送風運転を行う。このとき、膨張弁１２は、冷房あるいは除湿運転時の圧縮機周波数に対応して決定される目標吐出温度になるように開度制御が行われており（吐出温制御）、四方弁８はＯＦＦで冷房運転時の冷凍サイクルが維持されている。
【００７２】
また、前面パネル３８及び上下羽根４４は開状態からクリーニング位置に移動するが、前面パネル３８、上下羽根４４等の挙動につき図１６及び図１７を参照しながらまず説明する。
【００７３】
空気調和機停止時には、図１６（ａ）に示されるように、前面パネル３８と上下羽根４４と中羽根４６は全て閉塞した状態にある。
【００７４】
冷房時は、吹き出し空気（冷風）を人の頭上上方に到達させるため（冷房天井気流）、図１６（ａ）に示される状態から図１６（ｂ）に示される状態を経て図１６（ｃ）に示される状態に至る。まず、アーム５０，５２が駆動制御されて前面パネル３８が前面開口部３６ａから離反するとともに、アーム５４，５６が駆動制御されて上下羽根４４が吹出口４２から離反する。
【００７５】
図１６（ｃ）の状態では、吹出口４２から吹き出される空気は、上下羽根４４により水平方向に導かれるが、上下羽根４４の下流側端部が上方へ湾曲しているため、部屋の遠方まで空気を送ることができる。この時、吹出口４２の上方、すなわち前面パネル３８の下方は中羽根４６により閉塞されており、吹出口４２から吹き出した空気の一部が前面開口部３６ａに導かれることはない。
【００７６】
一方、暖房時は、吹き出し空気（温風）を人の足元近傍に到達させるため（暖房足元気流）、図１６（ａ）に示される状態から図１６（ｂ）に示される状態を経て図１６（ｄ）に示される状態に至る。図１６（ｄ）の状態では、吹出口４２から吹き出される空気は、上下羽根４４により斜め下方に導かれるが、上下羽根４４の下流側端部が本体側へ湾曲しているため、部屋の上方に溜まりやすい暖かい空気を部屋の下方に送ることができる。
【００７７】
なお、図１６（ｅ）は、安定前の冷房時に利用され、吹き出し空気は人体に向けられる（人体向け気流）。
【００７８】
また、図１７は、クリーニング位置にある前面パネル３８及び上下羽根４４を示しており、前面パネル３８は前面開口部３６ａから僅かに離反する（例えば、Ａ＝２０ｍｍ）一方、上下羽根４４の後縁部は吹出口４２の下縁部に密着するとともに、その前縁部は吹出口４２の上縁部より僅かに離反している（例えば、Ｂ＝１０ｍｍ）。
【００７９】
したがって、熱交換器洗浄時は、室内送風機１６から吹出口４２に向かって送風された空気は、室内に送風されることなく上下羽根４４により前面開口部３６ａに導かれ、吹出口４２から送風された空気が室内機４内を循環する所謂「ショートサーキット」状態となる。
【００８０】
図１５のタイミングチャートに戻って、熱交換器洗浄をさらに説明すると、時間ｔ１から時間ｔ２まで（例えば、約３分）は送風運転を行い、時間ｔ２において、圧縮機６は周波数を抑えた第１の運転周波数（例えば、約１６Ｈｚ）で運転を再開するとともに、室外送風機１８も低速度（例えば、約１５０ｒｐｍ）で運転を再開し、除湿（本格除湿）運転を行う。除湿運転中、膨張弁１２は最大パルス（例えば、約４８０パルス）に設定されて全開し、室内送風機１６は第１の速度より低い第２の速度（例えば、約５００ｒｐｍ）で運転を行う。
【００８１】
所定時間（例えば、約５５分）の除湿運転終了後、時間ｔ３において、２回目の送風運転に入り、圧縮機６及び室外送風機１８は停止するとともに、室内送風機１６は第２の速度から第１の速度に変更される。なお、膨張弁１２のパルス数は最大パルスに引き続き維持されている。
【００８２】
時間ｔ３から所定時間（例えば、約３分）経過後の時間ｔ４において、四方弁８を切り替えて暖房運転に入り、室内熱交換器１４を乾燥させて冷房あるいは除湿運転中に生じた水分を塵埃とともに除去する。暖房運転中は、圧縮機６は第１の運転周波数より高い第２の運転周波数（例えば、約３０Ｈｚ）に維持され、室外送風機１８は除湿運転時と同じ速度で運転される。また、膨張弁１２は最大パルスより少ない所定のパルス（例えば、約４００パルス）に設定され、室内送風機１６は、再び第２の速度に設定される。
【００８３】
所定時間（例えば、約３０分）の暖房運転終了後、時間ｔ５において、四方弁８をＯＦＦにして冷房運転時の冷凍サイクルに戻し、圧縮機６及び室外送風機１８を停止するとともに、室内送風機１６を第２の速度から第１の速度に変更して３回目の送風運転を行う。このとき、膨張弁１２のパルス数は前記所定のパルスより最大パルスに再設定される。
【００８４】
３回目の送風運転を所定時間（例えば、約３分）行った後、熱交換器洗浄を行う前の状態（冷房あるいは除湿運転）に戻る（図１５は停止する場合を示している）。なお、時間ｔ１から時間ｔ６までの間、前面パネル３８及び上下羽根４４は、図１７に示されるクリーニング位置に保持される。
【００８５】
ここで、熱交換器洗浄に際し、暖房運転の前に除湿（本格除湿）運転あるいは送風運転の組合わせ運転を行っているが、これは、暖房運転で熱交換器洗浄を行うと、それ以前の運転で室内熱交換器１４に付着していた結露水がすべて蒸発して室内空間に流出し、部屋の湿度が上昇してユーザに不快感をあたえる虞があるが、本格除湿を行うことで結露水を回収して室内空間に流出させることなく室内熱交換器１４の一部を洗浄することができるので、ユーザに不快感を与えることなく熱交換器洗浄に移行できるからである。また、熱交換器洗浄中、除湿運転と暖房運転の前後に合計３回の送風運転を行っているが、これは圧縮機６の吸入圧力と吐出圧力との圧力差が大きいと起動に失敗する可能性があり、吸入圧力と吐出圧力を均一化するためである（圧縮機６の起動保護）。
【００８６】
なお、図１４のフローチャートのステップＳ５において、暖房運転中と判定されると、ステップＳ６において、フィルタ清掃のみ行うようにしたが、冷凍サイクルを一旦冷房運転に切り替えて室内熱交換器１４を濡らした後、フィルタ清掃を行い、さらにフィルタ清掃後に熱交換器洗浄を行うようにすることもできる。ただし、このときの冷房運転における圧縮機６の運転周波数、室外送風機１８の運転周波数等は、例えば次のように設定される。
圧縮機６：      ２５Ｈｚ
室外送風機１８：６００ｒｐｍ
膨張弁１２：    冷房運転の吐出温制御
上下羽根４４：  クリーニング位置
前面パネル３８：クリーニング位置
室内送風機１６：５００ｒｐｍ
【００８７】
同様に、ステップＳ１０においてフィルタ清掃のみ行うようにしたが、冷凍サイクルを一旦冷房運転に切り替えて室内熱交換器１４を濡らした後、フィルタ清掃を行い、さらにフィルタ清掃後に熱交換器洗浄を行うこともできる。
【００８８】
また、上記構成において、フィルタ清掃を行う時刻を各曜日毎に記憶させ、各曜日毎に設定された時刻にフィルタ清掃及び熱交換器洗浄を行うようにすることもできる。以下、この構成につき図１８乃至図２０を参照しながら説明する。
【００８９】
図１８は空気調和機の制御装置のブロック図で、フィルタ清掃時刻設定手段（例えば、リモコン）１０４はフィルタ清掃装置３４を作動させるフィルタ清掃時刻を設定し、フィルタ清掃時刻ウィークリープログラミング手段１０６はフィルタ清掃時刻の設定を各曜日ごとに記憶し、フィルタ清掃時刻判定手段１０８に出力する。また、計時手段１１０は時刻を計時してフィルタ清掃時刻判定手段１０８に出力し、曜日検出手段１１２は曜日を検出してフィルタ清掃時刻判定手段１０８に出力する。
【００９０】
さらに、フィルタ清掃時刻判定手段１０８は、フィルタ清掃時刻ウィークリープログラミング手段１０６と曜日検出手段１１２の出力値から、計時手段１１０が検出した時刻が、フィルタ清掃装置３４を作動させる時刻か否かを判定する。計時手段１１０が検出した時刻が、フィルタ清掃装置３４を作動させる時刻の場合は、空調運転中判定手段１１４に出力し、計時手段１１０が検出した時刻が、フィルタ清掃装置３４を作動させる時刻でない場合は出力しない。
【００９１】
空調運転中判定手段１１４はフィルタ清掃時刻判定手段１０８からの出力を受けると空調運転中であるか否かの判定を行い、空調運転中の場合には、フィルタ清掃装置不動作カウンタ１１６に出力し、空調運転中でなければ、フィルタ清掃開始信号出力手段１１８に出力する。
【００９２】
フィルタ清掃装置不動作カウンタ１１６は空調運転中判定手段１１４からの信号を受けるとフィルタ清掃装置不動作回数Ｎに１を加えたのち、Ｎ＝Ａの場合はフィルタ清掃開始信号出力手段１１８に出力し、Ｎ≠Ａの場合は空調運転終了検出手段１２０に出力する。また、フィルタ清掃開始信号出力手段１１８から出力を受けるとフィルタ清掃装置不動作回数Ｎを初期化（Ｎ＝０）する。
【００９３】
空調運転終了検出手段１２０はフィルタ清掃装置不動作カウンタ１１６からの信号を受けると運転状態を監視し、空調運転終了を検出するとフィルタ清掃開始信号出力手段１１８に出力する。
【００９４】
電源投入検出手段１２２は電源が投入されるとフィルタ清掃開始信号出力手段１１８に出力し、フィルタ清掃スイッチ１２４はオンされるとフィルタ清掃開始信号出力手段１１８に出力する。
【００９５】
フィルタ清掃開始信号出力手段１１８は空調運転中判定手段１１４、フィルタ清掃装置不動作カウンタ１１６、電源投入検出手段１２２、フィルタ清掃スイッチ１２４から出力を受けるとフィルタ清掃開始信号をフィルタ清掃装置３４とフィルタ清掃装置不動作カウンタ１１６に出力する。フィルタ清掃装置３４はフィルタ清掃開始信号出力手段１１８からの出力により動作を開始する。
【００９６】
図１９は制御装置のメインルーチンのフローチャートであり、以下その動作を説明する。
【００９７】
ステップＳ２１において、電源投入検出手段１２２で電源の投入を検出し、ステップＳ２２において、フィルタ清掃開始信号出力手段１１８が、フィルタ清掃開始信号をフィルタ清掃装置３４とフィルタ清掃装置不動作カウンタ１１６に出力する。
【００９８】
ステップＳ２３において、フィルタ清掃装置不動作カウンタ１１６のフィルタ清掃装置不動作回数Ｎを初期化(Ｎ＝０)し、ステップＳ２４において、計時手段１１０が時刻を検出し、ステップＳ２５において、曜日検出手段１１２が曜日を検出する。
【００９９】
ステップＳ２６において、フィルタ清掃時刻設定手段１０４とフィルタ清掃ウィークリープログラミング手段１０６で設定されたフィルタ清掃開始時刻を読み込む。
【０１００】
ステップＳ２７において、フィルタ清掃時刻判定手段１０８により、フィルタ清掃時刻ウィークリープログラミング手段１０６と曜日検出手段１１２の出力値から計時手段１１０が検出した時刻が、フィルタ清掃装置３４を作動させる時刻か否かを判定する。
【０１０１】
計時手段１１０が検出した時刻が、フィルタ清掃装置３４を作動させる時刻の場合は、空調運転中判定手段１１４に出力し、ステップＳ２８へ移行する。計時手段１１０が検出した時刻が、フィルタ清掃装置３４を作動させる時刻でない場合はステップＳ２４へ戻る。
【０１０２】
ステップＳ２８において、 空調運転中判定手段１１４が空調運転中であるか否かの判定を行い、空調運転中の場合には、フィルタ清掃装置不動作カウンタ１１６に出力し、ステップＳ２９へ移行する一方、空調運転中でなければ、フィルタ清掃開始信号出力手段１１８に出力しステップＳ３２へ移行する。
【０１０３】
ステップＳ２９において、 フィルタ清掃装置不動作カウンタ１１６がフィルタ清掃装置不動作回数Ｎに１を加え、ステップＳ３０において、フィルタ清掃装置不動作回数Ｎがあらかじめ設定された整数値Ａ（Ａ＞０）であるかを判定する。Ｎ≠Ａの場合は空調運転終了検出手段１２０に出力し、ステップＳ３１へ移行し、Ｎ＝Ａの場合はフィルタ清掃開始信号出力手段１１８に出力し、ステップＳ３２へ移行する。
【０１０４】
ステップＳ３１において、 空調運転終了検出手段１２０により空調運転終了を検出すると、フィルタ清掃開始信号出力手段１１８に出力し、ステップＳ３２へ移行し、空調運転が継続状態の場合はステップＳ３３へ移行する。ステップＳ３３において、計時手段１１０が時刻を検出し、ステップＳ３４において、曜日検出手段１１２が曜日を検出する。
【０１０５】
ステップＳ３５において、フィルタ清掃時刻設定手段１０４とフィルタ清掃ウィークリープログラミング手段１０６で設定されたフィルタ清掃開始時刻を読み込み、ステップＳ３６において、フィルタ清掃時刻判定手段１０８により、フィルタ清掃時刻ウィークリープログラミング手段１０６と曜日検出手段１１２の出力値から計時手段１１０が検出した時刻が、フィルタ清掃装置３４を作動させる時刻か否かを判定する。
【０１０６】
計時手段１１０が検出した時刻が、フィルタ清掃装置３４を作動させる時刻の場合は、空調運転中判定手段１１４に出力し、ステップＳ２８へ戻る。計時手段１１０が検出した時刻が、フィルタ清掃装置３４を作動させる時刻でない場合はステップＳ３１へ戻る。
【０１０７】
ステップＳ３２において、フィルタ清掃開始信号出力手段１１８がフィルタ清掃開始信号をフィルタ清掃装置３４とフィルタ清掃装置不動作カウンタ１１６に出力する。
【０１０８】
図２０は本実施の形態の空気調和機の制御装置のサブルーチンのフローチャートであり、以下その動作を説明する。
【０１０９】
ステップＳ３７においてフィルタスイッチがオンされるとサブルーチンの割り込み処理が開始され、フィルタ清掃開始信号出力手段１１８に出力する。次のステップＳ３８において、フィルタ清掃開始信号出力手段１１８がフィルタ清掃開始信号をフィルタ清掃装置３４とフィルタ清掃装置不動作カウンタ１１６に出力し、ステップＳ３９において、フィルタ清掃装置不動作カウンタ１１６のフィルタ清掃装置不動作回数Ｎを初期化(Ｎ＝０)する。
【０１１０】
上記実施の形態において、 計時手段１１０と、フィルタ清掃を行う時刻を設定するフィルタ清掃時刻設定手段１０４と、フィルタ清掃装置３４にフィルタ清掃開始信号を出力するフィルタ清掃開始信号出力手段１１８を設け、フィルタ清掃時刻設定手段１０４で設定した時刻にフィルタ清掃装置３４を作動させることにより、毎日塵埃が取れやすい状態でユーザが設定した時刻にフィルタ清掃を行うこととなり、塵埃を小能力で効率よく確実に除去でき、ユーザに不快感を与えることがない。
【０１１１】
また、曜日検出手段１１２と、フィルタ清掃時刻ウィークリープログラミング手段１０６を設け、各曜日毎にフィルタ清掃時刻を設定できるようにしたので、曜日毎の使用状況に合わせたフィルタ清掃時刻の設定が可能となり、利便性が向上する。
【０１１２】
さらに、空気調和機の電源投入を検出する電源投入検出手段１２２を設け、電源投入時にフィルタ清掃装置３４を作動させることにより、空気調和機を使用しないときにはブレーカを切るという使用条件において、使用前にはフィルタ清掃装置３４が作動することとなり、塵埃を確実に除去することができる。
【０１１３】
また、空調運転中であるか否かを判定する空調運転中判定手段１１４を設け、フィルタ清掃時刻設定手段１０４で設定された時刻に空調運転中の場合には、フィルタ清掃装置３４を作動させないことにより、空調運転中にはフィルタ清掃装置の騒音が発生しなくなり、ユーザに不快感を与えることがない。
【０１１４】
また、空調運転終了を検出する空調運転終了検出手段１２０を設け、フィルタ清掃時刻設定手段１０４で設定された時刻に空調運転中でフィルタ清掃装置３４が動作しなかった場合には、運転終了時にフィルタ清掃装置３４を作動させることにより、設定された時刻に空調運転中であれば運転終了時にフィルタ清掃装置３４が動作することとなり、ユーザに不快感を与えずに塵埃を確実に除去することができる。
【０１１５】
また、フィルタ清掃時刻設定手段１０４で設定された時刻に連続して空調運転中でフィルタ清掃装置３４が動作しなかった回数をカウントするフィルタ清掃装置不動作カウンタ１１６を設け、フィルタ清掃装置不動作カウンタ１１６のカウント値がある値に達した場合には、フィルタ清掃装置３４を作動させることにより、長期空調運転中もフィルタ清掃が可能となり、塵埃を自動的に除去することができる。
【０１１６】
また、フィルタ清掃スイッチ１２４を設け、フィルタ清掃スイッチ１２４がオンされた場合には、フィルタ清掃装置３４を作動させることにより、空気調和機の運転状態にかかわらずフィルタ清掃が可能となり、ユーザの必要に応じて塵埃を自動的に除去することができる。
【産業上の利用可能性】
【０１１７】
本発明に係る空気調和機は、ユーザの好みの時間にエアフィルタの自動清掃と室内熱交換器の自動洗浄の一方あるいは両者を略同時に行うことによりメンテナンスを極力低減して室内機をクリーンな状態に維持することができるので、家庭用の空気調和機のみならず業務用の空気調和機として有用である。
【図面の簡単な説明】
【０１１８】
【図１】本発明に係る空気調和機の冷凍サイクルを示す概略図
【図２】図１の空気調和機に設けられた制御装置のブロック図
【図３】図１の空気調和機を構成する室内機の縦断面図
【図４】図３の室内機に設けられたフィルタ清掃装置の斜視図
【図５】図４のフィルタ清掃装置に設けられた吸引ノズルの斜視図
【図６】図５の吸引ノズルの分解斜視図
【図７】図５における線VII−VIIに沿った断面図
【図８】フィルタ網の清掃範囲に応じた吸引孔の位置を示す模式図であり、（ａ）は範囲Ａを清掃する場合の吸引孔の位置を、（ｂ）は範囲Ｂを清掃する場合の吸引孔の位置を、（ｃ）は範囲Ｃを清掃する場合の吸引孔の位置を、（ｄ）は範囲Ｄを清掃する場合の吸引孔の位置をそれぞれ示す模式図
【図９】フィルタ清掃装置の吸引清掃順序を示す模式図
【図１０】フィルタ清掃装置の吸引清掃順序を示す別の模式図
【図１１】吸引ノズルの変形例を示す図５における線VII−VIIに沿った断面図
【図１２】開口部が開状態にある吸引装置の構成例を示す模式図
【図１３】開口部が閉状態にある吸引装置の構成例を示す模式図
【図１４】フィルタ清掃及び熱交換器洗浄の流れを示すフローチャート
【図１５】熱交換器洗浄を行う場合のタイミングチャート
【図１６】前面パネル、上下羽根等の挙動を示す室内機の縦断面図
【図１７】クリーニング位置にある前面パネル及び上下羽根を示す室内機の断面図
【図１８】図１の空気調和機の制御装置のブロック図
【図１９】図１８の制御装置のメインルーチンを示すフローチャート
【図２０】図１８の制御装置のサブルーチンを示すフローチャート
【符号の説明】
【０１１９】
２  室外機、  ４  室内機、  ６  圧縮機、  ８  四方弁、  １０  室外熱交換器、
１２  膨張弁、  １４  室内熱交換器、  １６  室内送風機、  １８  室外送風機、
２０  室温センサ、  ２２  配管温度センサ、  ２４  制御装置、  
２６  室内温度検出手段、  ２８  配管温度設定手段、  ３０  配管温度検出手段、
３２  乾燥運転周波数制御手段、  ３４  フィルタ清掃装置、  ３６  室内機本体、
３６ａ  前面開口部、  ３６ｂ  上面開口部、  ３８  前面パネル、  ４２  吹出口、
４４  上下羽根、  ４６  中羽根、  ４８  中羽根駆動機構、  ５０，５２  アーム、
５４，５６  アーム、  ５８  フィルタ枠、  ６０  フィルタ網、  ６２  フィルタ、
６４  吸引ノズル、  ６６  ガイドレール、  ６８  吸引ダクト、  ７０  吸引装置、
７２  排気ダクト、  ７４，７６  リミットスイッチ、  ７８  ノズル本体、  
７８ａ  ノズル開口部、  ８０  ベルト、  ８０ａ  吸引孔、  ８２  指示部、  
８４  吸引孔センサ、  ８６  駆動穴、  ８８  ステッピング・モータ、  ９０  歯車、
９２  塵埃センサ、  ９４  シロッコファン、  ９６  開口部、  
９８  ステッピング・モータ、  １００  開閉板、  １０２  シール材、  
１０４  フィルタ清掃時刻設定手段、  
１０６  フィルタ清掃時刻ウィークリープログラミング手段、  
１０８  フィルタ清掃時刻判定手段、  １１０  計時手段、  １１２  曜日検出手段、
１１４  空調運転中判定手段、  １１６  フィルタ清掃装置不動作カウンタ、  
１１８  フィルタ清掃開始信号出力手段、  １２０  空調運転終了検出手段、  
１２２  電源投入検出手段、  １２４  フィルタ清掃スイッチ。
【図１】
2009058143.tif 000003
【図２】
2009058143.tif 000004
【図３】
2009058143.tif 000005
【図４】
2009058143.tif 000006
【図５】
2009058143.tif 000007
【図６】
2009058143.tif 000008
【図７】
2009058143.tif 000009
【図８】
2009058143.tif 000010
【図９】
2009058143.tif 000011
【図１０】
2009058143.tif 000012
【図１１】
2009058143.tif 000013
【図１２】
2009058143.tif 000014
【図１３】
2009058143.tif 000015
【図１４】
2009058143.tif 000016
【図１５】
2009058143.tif 000017
【図１６】
2009058143.tif 000018
【図１７】
2009058143.tif 000019
【図１８】
2009058143.tif 000020
【図１９】
2009058143.tif 000021
【図２０】
2009058143.tif 000022